(57)【要約】  腕時計（１０１）は、回路基板（２０）、この回路基板（２０）に実装された給電コイルアンテナ（３０）、および回路基板（２０）に形成されたグランド導体を備える。グランド導体は、外縁と、開口（ＡＰ）と、開口（ＡＰ）の内縁と外縁とを連接するスリット部（ＳＬ）と、を有する。回路基板（２０）には、グランド導体のスリット部（ＳＬ）を横断してグランド導体同士を接続する接続導体（９）が設けられている。この接続導体（９）は、グランド導体にループ状に流れる電流の経路の一部を形成する。
2018070128.tif 000002
【特許請求の範囲】
【請求項１】
面状導体と、
前記面状導体が形成され、前記面状導体と略同形状の基板と、
互いに対向する第１コイル開口端および第２コイル開口端を有し、前記基板に実装される給電コイルアンテナと、
接続導体と、を有し、
前記面状導体は、外縁と、開口と、前記開口によって形成される内縁と、前記内縁と前記外縁とを連接する切欠部と、を備え、
前記接続導体は、前記面状導体の前記切欠部を横断して前記面状導体同士を接続し、前記面状導体にループ状に流れる電流の経路の一部を形成し、
前記給電コイルアンテナの第１コイル開口端は前記面状導体の開口の内縁よりも前記外縁に近接する、
アンテナ装置。
【請求項２】
前記接続導体は、導体線に絶縁膜が被覆された被覆線である、請求項１に記載のアンテナ装置。
【請求項３】
アンテナ装置と、内部装置と、外部操作部と、前記内部装置と前記外部操作部との間を接続する操作軸と、を備え、
前記アンテナ装置は、
面状導体と、
前記面状導体が形成され、前記面状導体と略同形状の基板と、
互いに対向する第１コイル開口端および第２コイル開口端を有し、前記基板に実装される給電コイルアンテナと、
接続導体と、を有し、
前記面状導体は、外縁と、開口と、前記開口によって形成される内縁と、前記内縁と前記外縁とを連接する切欠部と、を備え、
前記接続導体は、前記面状導体の前記切欠部を横断して前記面状導体同士を接続し、前記面状導体にループ状に流れる電流の経路の一部を形成し、
前記給電コイルアンテナの第１コイル開口端は前記面状導体の開口の内縁よりも前記外縁に近接する、
ことを特徴とする通信端末装置。
【請求項４】
前記接続導体は、導体線に絶縁膜が被覆された被覆線である、請求項３に記載の通信端末装置。
【請求項５】
アンテナ装置と、時計ムーブメントと、竜頭と、前記時計ムーブメントと前記竜頭との間を接続する巻真と、前記アンテナ装置、前記時計ムーブメントおよび前記巻真を収容するケースと、を備え、
前記アンテナ装置は、
面状導体と、
前記面状導体が形成され、前記面状導体と略同形状の基板と、
互いに対向する第１コイル開口端および第２コイル開口端を有し、前記基板に実装される給電コイルアンテナと、
接続導体と、を有し、
前記面状導体は、外縁と、開口と、前記開口によって形成される内縁と、前記内縁と前記外縁とを連接する切欠部と、を備え、
前記接続導体は、前記面状導体の前記切欠部を横断して前記面状導体同士を接続し、前記面状導体にループ状に流れる電流の経路の一部を形成し、
前記給電コイルアンテナの第１コイル開口端は前記面状導体の開口の内縁よりも前記外縁に近接する、
ことを特徴とする竜頭付き時計。
【請求項６】
前記基板は前記切欠部に対応する位置に形成されたスリット部を有し、前記時計ムーブメントは平面視で前記開口内に配置されていて、前記巻真は前記スリット部に配置されている、請求項５に記載の竜頭付き時計。
【請求項７】
前記接続導体は、前記スリット部において前記巻真を跳び越える形状である、請求項６に記載の竜頭付き時計。
【請求項８】
前記接続導体は、導体線に絶縁膜が被覆された被覆線である、請求項５から７のいずれかに記載の竜頭付き時計。
【発明の詳細な説明】
【技術分野】
【０００１】
本発明は、給電コイルアンテナと面状導体とを有するアンテナ装置、このアンテナ装置を備える通信端末装置および竜頭付き時計に関する。
【背景技術】
【０００２】
給電コイルアンテナと面状導体とを有し、給電コイルアンテナを面状導体の縁端部に近接配置するように構成されたアンテナ装置が特許文献１に示されている。このアンテナ装置は、給電コイルアンテナと面状導体とが電磁界結合し、給電コイルアンテナに流れる電流が面状導体の主に縁端部を周回する電流を誘導し、面状導体に流れる電流が給電コイルアンテナに電流を誘導する。したがって、面状導体はブースターアンテナとして作用する。
【先行技術文献】
【特許文献】
【０００３】
【特許文献１】国際公開第２０１２／０３３０３１号
【発明の概要】
【発明が解決しようとする課題】
【０００４】
給電コイルアンテナと面状導体とを有するアンテナ装置は、組み込み先である電子機器がもとより備える導体をアンテナ装置の面状導体として兼用できることが一つの特徴である。例えば、電子機器の筐体内に収容される回路基板に形成されている、面状に拡がるグランド導体パターンはアンテナ装置の面状導体として利用できる。【０００５】
しかし、回路基板の中央部に開口が形成されていて、この開口の内縁と回路基板の外縁とを連接する切欠部が形成されている場合、その回路基板に形成されているグランド導体パターンは上述のブースターアンテナとしてあまり有効に作用しない。グランド導体パターンの外縁を流れる誘導電流と、開口の内縁に沿って流れる誘導電流とが互いに逆向きの関係となるため、ブースターアンテナとしての機能が低下するからである。【０００６】
本発明の目的は、面状導体が形成され、中央部に開口が形成されていて、この開口の内縁と基板の外縁とが切欠部で接続されている基板を備える装置において、面状導体のブースターアンテナとしての作用を有効にしたアンテナ装置、このアンテナ装置を備える通信端末装置および竜頭付き時計を提供することにある。
【課題を解決するための手段】
【０００７】
（１）本発明のアンテナ装置は、
面状導体と、
前記面状導体が形成され、前記面状導体と略同形状の基板と、
互いに対向する第１コイル開口端および第２コイル開口端を有し、前記基板に実装される給電コイルアンテナと、
接続導体と、を有し、
前記面状導体は、外縁と、開口と、前記開口によって形成される内縁と、前記内縁と前記外縁とを連接する切欠部と、を備え、
前記接続導体は、前記面状導体の前記切欠部を横断して前記面状導体同士を接続し、前記面状導体にループ状に流れる電流の経路の一部を形成し、
前記給電コイルアンテナの第１コイル開口端は前記面状導体の開口の内縁よりも前記外縁に近接する、ことを特徴とする。【０００８】
上記構成により、面状導体を流れる電流のうち、切欠部を流れようとする電流は、その切欠部を横断する接続導体を流れ、切欠部および開口の内縁には殆ど流れない。そのため、等価的には面状導体の開口および切欠部が無い状態となって、面状導体はブースターアンテナとして有効に作用する。【０００９】
（２）前記接続導体は、導体線に絶縁膜が被覆された被覆線であることが好ましい。これにより、接続導体が巻真に対し電気的に導通せず、アンテナ特性を安定化できる。【００１０】
（３）本発明の通信端末装置は、
アンテナ装置と、内部装置と、外部操作部と、前記内部装置と前記外部操作部との間を接続する操作軸と、を備え、
前記アンテナ装置は、
面状導体と、
前記面状導体が形成され、前記面状導体と略同形状の基板と、
互いに対向する第１コイル開口端および第２コイル開口端を有し、前記基板に実装される給電コイルアンテナと、
接続導体と、を有し、
前記面状導体は、外縁と、開口と、前記開口によって形成される内縁と、前記内縁と前記外縁とを連接する切欠部と、を備え、
前記接続導体は、前記面状導体の前記切欠部を横断して前記面状導体同士を接続し、前記面状導体にループ状に流れる電流の経路の一部を形成し、
前記給電コイルアンテナの第１コイル開口端は前記面状導体の開口の内縁よりも前記外縁に近接する、ことを特徴とする。【００１１】
上記構成により、基板に形成されている面状導体は、等価的な電流経路としては面状導体の開口および切欠部が無い状態となって、面状導体はブースターアンテナとして有効に作用し、小型の基板を備える小型の通信端末装置が得られる。【００１２】
（４）前記接続導体は、導体線に絶縁膜が被覆された被覆線であることが好ましい。これにより、接続導体が巻真に対し電気的に導通せず、アンテナ特性を安定化できる。【００１３】
（５）本発明の竜頭付き時計は、
アンテナ装置と、時計ムーブメントと、竜頭と、前記時計ムーブメントと前記竜頭との間を接続する巻真と、前記アンテナ装置、前記時計ムーブメントおよび前記巻真を収容するケースと、を備え、
前記アンテナ装置は、
面状導体と、
前記面状導体が形成され、前記面状導体と略同形状の基板と、
互いに対向する第１コイル開口端および第２コイル開口端を有し、前記基板に実装される給電コイルアンテナと、
接続導体と、を有し、
前記面状導体は、外縁と、開口と、前記開口によって形成される内縁と、前記内縁と前記外縁とを連接する切欠部と、を備え、
前記接続導体は、前記面状導体の前記切欠部を横断して前記面状導体同士を接続し、前記面状導体にループ状に流れる電流の経路の一部を形成し、
前記給電コイルアンテナの第１コイル開口端は前記面状導体の開口の内縁よりも前記外縁に近接する、ことを特徴とする。【００１４】
上記構成により、基板に形成されている面状導体は、等価的な電流経路としては面状導体の開口およびスリットが無い状態となって、面状導体はブースターアンテナとして有効に作用し、アンテナ特性に優れた竜頭付き時計（腕時計や懐中時計）が得られる。【００１５】
（６）前記基板は前記切欠部に対応する位置に形成されたスリット部を有し、前記時計ムーブメントは平面視で前記開口内に配置されていて、前記巻真は前記スリット部に配置されている、ことが好ましい。これにより、時計ムーブメントの厚みに基板の厚み分が加わることなく、ケース内の限られた厚みに時計ムーブメントおよび基板を収容できる。【００１６】
（７）前記接続導体は、前記スリット部において前記巻真を跳び越える形状であることが好ましい。これにより、巻真と接続導体との構造的な干渉がなく、且つ短い経路長で面状導体のスリット部を繋ぐことができる。【００１７】
（８）前記接続導体は、導体線に絶縁膜が被覆された被覆線であることが好ましい。これにより、接続導体が巻真に対し電気的に導通せず、アンテナ特性を安定化できる。
【発明の効果】
【００１８】
本発明によれば、面状導体が形成され、中央部に開口が形成されていて、この開口の内縁と基板の外縁とが切欠部で接続されている基板を備える装置において、面状導体のブースターアンテナとしての作用を有効にしたアンテナ装置、このアンテナ装置を備える通信端末装置および竜頭付き時計が得られる。
【図面の簡単な説明】
【００１９】
【図１】図１（Ａ）は第１の実施形態に係る腕時計１０１の主要部の平面図、図１（Ｂ）はその下面図である。
【図２】図２（Ａ）は腕時計１０１が備えるアンテナ装置の平面図および下面図である。図２（Ｂ）は図２（Ａ）におけるＸ−Ｘ部分の断面図である。
【図３】図３は、給電コイルアンテナ３０の分解斜視図である。
【図４】図４は給電コイルアンテナ３０の断面図である。
【図５】図５は、腕時計１０１のアンテナ装置が備えるグランド導体２１に流れる電流の経路を概念的に示す図である。
【図６】図６（Ａ）、図６（Ｂ）は、それぞれ比較例のアンテナ装置が備えるグランド導体２１に流れる電流の経路を概念的に示す図である。
【図７】図７は第２の実施形態に係る通信端末装置１０２の主要部の斜視図である。
【図８】図８は第２の実施形態に係る通信端末装置１０２が備える回路基板２０の平面図である。
【図９】図９は、測定対象のアンテナ装置と通信相手のアンテナ装置との５つの位置関係を示す図である。
【発明を実施するための形態】
【００２０】
《第１の実施形態》
図１（Ａ）は第１の実施形態に係る腕時計１０１の主要部の平面図、図１（Ｂ）はその下面図である。この腕時計１０１は本発明における「竜頭付き時計」の例である。腕時計１０１は、アンテナ装置と、時計ムーブメント３と、竜頭４と、時計ムーブメント３と竜頭４との間を接続する巻真５と、ケース１と、ケース１に取り付けられたベルト２Ａ，２Ｂとを備える。ケース１は、アンテナ装置、時計ムーブメント３および巻真５を収容する。この腕時計１０１は、本発明の通信端末装置の例でもある。時計ムーブメント３は本発明における「内部装置」の例であり、竜頭４は本発明における「外部操作部」の例であり、巻真５は本発明における「操作軸」の例である。
【００２１】
上記アンテナ装置は、回路基板２０と、この回路基板２０に形成されたグランド導体と、回路基板２０に実装された給電コイルアンテナ３０と、を有する。回路基板２０は本発明における「基板」の例であり、上記グランド導体は本発明における「面状導体」の例である。
【００２２】
回路基板２０は、外縁と、開口ＡＰと、この開口ＡＰの内縁と外縁とを連接するスリット部ＳＬを有する。このスリット部ＳＬに巻真５が通る。
【００２３】
図２（Ａ）は上記腕時計１０１が備えるアンテナ装置の平面図および下面図である。図２（Ｂ）は図２（Ａ）におけるＸ−Ｘ部分の断面図である。回路基板２０は、外縁２０ｅｓと、開口ＡＰと、この開口ＡＰの内縁２０ｉｓと外縁２０ｅｓとを連接するスリット部ＳＬを有する。回路基板２０には、それと同形状のグランド導体２１が形成されている。したがって、グランド導体２１は、外縁２１ｅｓと、開口ＡＰと、この開口ＡＰの内縁２１ｉｓと外縁２１ｅｓとを連接するスリット部と、を有するＣ字状の面状導体である。換言すると、回路基板２０はグランド導体２１と略同形状のＣ字状である。
【００２４】
なお、グランド導体２１および回路基板２０の、上記「Ｃ字状」は「不連続部を有するリング状」ということもできる。
【００２５】
本実施形態において、「開口」ＡＰはグランド導体２１の開口であり、回路基板２０の開口でもある。
【００２６】
給電コイルアンテナ３０は、互いに対向する第１コイル開口端３０Ｅ１および第２コイル開口端３０Ｅ２を有し、回路基板２０に実装され、この回路基板２０に形成されている給電回路に接続されている。給電コイルアンテナ３０の第１コイル開口端３０Ｅ１はグランド導体の外縁２１ｅｓに近接する。したがって、給電コイルアンテナ３０はグランド導体と磁界結合する。また、第２コイル開口端３０Ｅ２はグランド導体２１の開口ＡＰの内縁２１ｉｓに近接し、第１コイル開口端３０Ｅ１とグランド導体の外縁２１ｅｓとの最小距離は、第２コイル開口端３０Ｅ２とグランド導体の外縁２１ｅｓとの最小距離よりも短く、第２コイル開口端３０Ｅ２とグランド導体２１の開口ＡＰの内縁２１ｉｓとの最小距離は、第１コイル開口端３０Ｅ１とグランド導体２１の開口ＡＰの内縁２１ｉｓとの最小距離よりも短い。すなわち、給電コイルアンテナは、その第１コイル開口端がグランド導体の外縁に近接する。この位置関係によって、給電コイルアンテナ３０とグランド導体との磁界結合は強く、グランド導体のブースターアンテナとしての作用が高まる。
【００２７】
回路基板２０には給電コイルアンテナ３０以外の複数の電子部品が実装されているが、図１（Ｂ）、図２（Ａ）（Ｂ）等においては、図の煩雑化を避けるため図示を省略している。上記アンテナ装置および前記給電回路によって通信装置が構成され、この通信装置は通信相手の装置とＮＦＣ（Near field communication）等で所定のデータ通信を行う。
【００２８】
回路基板２０には、グランド導体２１に導通する二つの接続導体用パッド２１Ｐが形成されている。これら接続導体用パッド２１Ｐに接続導体９が接続されている。すなわち、接続導体９はグランド導体２１のスリット部２１ＳＬを横断して、グランド導体同士を接続する。この接続導体９はグランド導体２１にループ状に流れる電流の経路の一部を形成する。この接続導体９は、Ｃｕワイヤーなどの導体線に絶縁膜が被覆された被覆線である。
【００２９】
図１（Ｂ）に表れているように、時計ムーブメント３は平面視で、回路基板２０の開口ＡＰ内に配置されていて、巻真５は回路基板２０のスリット部ＳＬに配置されている。そして、被覆線である接続導体９は、一端が二つの接続導体用パッド２１Ｐのうち一方に接続されるとともに、他端が二つの接続導体用パッド２１Ｐのうち他方に接続され、一端と他端との間にある部分が、スリット部ＳＬにおいて巻真５を跳び越えるように湾曲あるいは屈曲している。すなわち、接続導体９は、スリット部ＳＬにおいて巻真５を跳び越える形状である。接続導体９は絶縁膜が被覆された被覆線であるので、巻真５に接しても電気的には導通せず、アンテナ特性を安定化できる。
【００３０】
図３は、給電コイルアンテナ３０の分解斜視図であり、図４は給電コイルアンテナ３０の断面図である。給電コイルアンテナ３０は、複数のシート１０ａ〜１０ｉが積層された多層基板１０と、この多層基板１０に形成されたコイル導体とを備えている。図３では上下の非磁性体シート１０ａ，１０ｉの図示を省略している。磁性体シート１０ｂの下面には複数の第１線条部１１が形成されている。磁性体シート１０ｈの上面には複数の第２線条部１２が形成されている。磁性体シート１０ｂ〜１０ｈには複数のビア導体（層間接続導体）が形成されている。第１線条部１１、第２線条部１２およびビア導体が上記コイル導体である。非磁性体シート１０ａの下面には、コイル導体の両端につながる端子電極がそれぞれ形成されている。このようにして、横置きの扁平角筒に沿ったヘリカル状のコイル導体を備えた給電コイルアンテナ３０が構成されている。
【００３１】
図５は、腕時計１０１のアンテナ装置が備えるグランド導体２１に流れる電流の経路を概念的に示す図である。ここでは、回路基板２０は図示していない。給電コイルアンテナ３０とグランド導体２１とは電磁界結合し、給電コイルアンテナ３０に電流が流れることにより、グランド導体２１の主に縁端部を周回する電流が誘導される。また、逆に、グランド導体２１の主に縁端部を周回する電流が流れることによって、給電コイルアンテナ３０に電流が誘導される。グランド導体２１の主に縁端部を周回する電流が流れる際、接続導体９は電流経路の一部として作用する。
【００３２】
図６（Ａ）、図６（Ｂ）は、それぞれ比較例のアンテナ装置が備えるグランド導体２１に流れる電流の経路を概念的に示す図である。図６（Ａ）の例では、円形のグランド導体２１に電流が流れる際、グランド導体２１の外縁に沿って誘導電流が流れる。また、図６（Ｂ）の例では、Ｃ字状のグランド導体２１に電流が流れる際、誘導電流はグランド導体２１の外縁、開口ＡＰの内縁、スリット部２１ＳＬのいずれの縁端に沿っても流れる。グランド導体２１の外縁２１ｅｓを流れる電流の旋回方向と、開口ＡＰの内縁２１ｉｓを流れる電流の旋回方向とは逆であるので、グランド導体２１はブースターアンテナとして有効に作用しない。
【００３３】
これに対し、図５に示したように、グランド導体２１のスリット部２１ＳＬが接続導体９で接続されていると、グランド導体２１を流れる電流のうち、スリット部２１ＳＬを流れようとする電流は、そのスリット部２１ＳＬを横断する接続導体９を流れ、スリット部２１ＳＬおよび開口ＡＰの内縁には殆ど流れない。そのため、等価的にはグランド導体２１の開口ＡＰおよびスリット部２１ＳＬが無い状態となって、図６（Ａ）の比較例と同様に、グランド導体２１はブースターアンテナとして有効に作用する。なお、縁端効果により、グランド導体２１に流れる電流の強度分布のピークは、グランド導体２１の外縁に沿った経路となる。そのため、接続導体９は、スリット部２１ＳＬのうち、グランド導体２１の外側寄りの位置にある方が好ましい。
【００３４】
次に、本実施形態における接続導体の有無によるアンテナ装置の特性の違いについて具体例を示す。
【００３５】
表１は、本実施形態のアンテナ装置のNFCによる特性を表す。表１において、括弧内の３つのパラメータは、被測定対象のアンテナ装置（本実施形態のアンテナ装置）と通信相手のアンテナ装置との各位置関係を示す。また、表１内の各数値の単位は［ｍＶ］である。
【００３６】
上記括弧内の３つのパラメータを（ｚ，ｒ，φ）で表すと、これらパラメータの意味は次のとおりである。
【００３７】
z：垂直方向の間隔
r：水平方向の間隔
Φ：rの方位
ｚ＝０  0mm
ｚ＝１  １mm
ｚ＝２  ２mm
ｚ＝３  ３mm
ｚ＝４  ４mm
ｒ＝０  0mm
ｒ＝１  １５mm
φ＝０  ０時方向
φ＝３  ３時方向
φ＝６  ６時方向
φ＝９  ９時方向
図９は、（ｚ，０，０）（ｚ，１，０）（ｚ，１，３）（ｚ，１，６）（ｚ，１，９）について、それらの位置関係を示す図である。
【００３８】
【表１】
2018070128.tif 000003
【００３９】
表１の（Ａ）は本実施形態のアンテナ装置の特性、（Ｂ）は上記接続導体９を備えない、比較例としてのアンテナ装置の特性である。
【００４０】
表１において、網掛けした条件の値は1.0以下であり、規定値に満たない。本実施形態のアンテナ装置では、すべての条件で値は1.0を超えていて、利得が向上していることがわかる。
【００４１】
《第２の実施形態》
第２の実施形態では、腕時計以外の通信端末装置の例を示す。
【００４２】
図７は第２の実施形態に係る通信端末装置１０２の主要部の斜視図である。図８はこの通信端末装置１０２が備える回路基板２０の平面図である。図８においては、回路基板２０と共に給電コイルアンテナ３０および接続導体９も図示している。図７では、ケース１の外形を二点鎖線で表している。
【００４３】
本実施形態の通信端末装置１０２は、アンテナ装置と、内部装置１３と、外部操作部１４と、内部装置１３と外部操作部１４との間を接続する操作軸１５と、アンテナ装置、内部装置１３および操作軸１５を収容するケース１と、を備える。
【００４４】
上記アンテナ装置は、回路基板２０と、この回路基板２０に形成されたグランド導体２１と、回路基板２０に実装された給電コイルアンテナ３０と、を有する。回路基板２０は本発明における「基板」の例であり、上記グランド導体は本発明における「面状導体」の例である。
【００４５】
回路基板２０は、外縁と、開口ＡＰと、この開口ＡＰの内縁と外縁とを連接するスリット部ＳＬを有する。このスリット部ＳＬに操作軸１５が通る。
【００４６】
内部装置１３の平面形状が矩形であること、それに応じて開口ＡＰが矩形であること、回路基板２０の外形が矩形であること以外の基本構成は第１の実施形態で示した腕時計と同じである。
【００４７】
《その他の実施形態》
各実施形態では、「面状導体」の例として、回路基板に形成されたグランド導体を例示したが、本発明に係る「面状導体」は、グランド導体に限らず、何らかの基板に面状に拡がる導体であってもよい。
【００４８】
各実施形態で示したスリット部ＳＬ，２１ＳＬは本発明に係る「切欠部」の例でもあるが、この「切欠部」は、面状導体の対向する間隔が非平行となる形状であってもよい。
【００４９】
各実施形態では、スリット部ＳＬ，２１ＳＬの間隙方向の幅が開口ＡＰの幅より狭い例を示したが、スリット部ＳＬ，２１ＳＬの幅は開口ＡＰの幅と等しくてもよい。すなわち、スリット部と開口とが実質的に一体になっていてもよい。
【００５０】
各実施形態では、接続導体９が単一である例を示したが、複数の接続導体を備え、それら接続導体で、面状導体同士を接続するように構成してもよい。また、接続導体の形態はＣｕワイヤーなどの導体線に絶縁膜が被覆された被覆線に限らず、ＦＰＣに形成された導体パターンでもよく、グランド導体２１にループ状に流れる電流の経路の一部を形成できればよい。
【００５１】
各実施形態では、面状導体の一箇所に「スリット部」を有する例を示したが、本発明は、複数の竜頭、巻真、外部操作部、操作軸等を備える装置にも同様に適用できる。すなわち、互いに位置が異なる複数の切欠部に、それらの面状導体同士を接続する接続導体をそれぞれ設けてもよい。
【００５２】
各実施形態では、面状導体の外縁が円形や矩形である例を示したが、面状導体の外縁に凹凸があってもよい。このことは開口の形状についても同様である。
【００５３】
各実施形態では、面状導体が平面状である例を示したが、面状導体は曲面状であってもよいし、一部が曲面状であってもよい。
【００５４】
また、第１の実施形態では腕時計について示したが、本発明は、懐中時計やストップウオッチ等のその他の竜頭付き時計にも同様に適用できる。
【００５５】
なお、各実施形態では、主にＮＦＣ等の磁界結合を利用した通信システムにおけるアンテナ装置および電子機器を説明したが、磁界結合を利用した非接触電力伝送システム（電磁誘導方式、磁界共鳴方式等）にも同様に適用できる。例えば、各実施形態におけるアンテナ装置は、ＨＦ帯、特に6.78MHzまたは6.78MHz近傍の周波数で使用される磁界共鳴方式の非接触電力伝送システムの受電装置に受電アンテナ装置として適用できる。この場合でも、アンテナ装置は受電アンテナ装置として機能する。非接触電力伝送システムにおいては、上述の実施形態で示した「給電回路」は受電回路または送電回路に相当する。受電回路である場合は、受電アンテナ装置に接続され、負荷（例えば、二次電池）に電力を給電する。また、送電回路である場合は、送電アンテナ装置に接続され、送電アンテナ装置に電力を給電する。
【００５６】
最後に、上述の実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【符号の説明】
【００５７】
ＡＰ…開口
ＳＬ…回路基板のスリット部
１…ケース
２Ａ，２Ｂ…ベルト
３…時計ムーブメント
４…竜頭
５…巻真
９…接続導体
１０…多層基板
１０ａ，１０ｉ…非磁性体シート
１０ｂ〜１０ｈ…磁性体シート
１１…第１線条部
１２…第２線条部
１３…内部装置
１４…外部操作部
１５…操作軸
２０…回路基板（基板）
２０ｅｓ…基板の外縁
２０ｉｓ…基板の内縁
２１…グランド導体（面状導体）
２１ｅｓ…面状導体の外縁
２１ｉｓ…面状導体の内縁
２１Ｐ…接続導体用パッド
２１ＳＬ…グランド導体のスリット部（切欠部）
３０…給電コイルアンテナ
３０Ｅ１…第１コイル開口端
３０Ｅ２…第２コイル開口端
１０１…腕時計（竜頭付き時計）
１０２…通信端末装置
【図１】
2018070128.tif 000004
【図２】
2018070128.tif 000005
【図３】
2018070128.tif 000006
【図４】
2018070128.tif 000007
【図５】
2018070128.tif 000008
【図６】
2018070128.tif 000009
【図７】
2018070128.tif 000010
【図８】
2018070128.tif 000011
【図９】
2018070128.tif 000012
【国際調査報告】
2018070128.tif 000013
2018070128.tif 000014
2018070128.tif 000015
2018070128.tif 000016